(57)【要約】ディスク記録装置は、当該装置を読み取りモード又は書き込みモードに切り替えるためのモード制御ユニット（３１）を有する。読み取り及び書き込みは、ビデオの同時の記録及び再生のために交互に行われることができる。回転スピード制御ユニット（３７）は、記録担体の回転スピードをセットする。回転スピード制御ユニット（３７）は、書き込みモードから読み取りモードへの切り替えの際、書き込みモード中の記録担体の実際の回転スピードに依存して、読み取りモードのために少なくとも２つのスピードセッティングうちの１つを選択するスピード選択器（３８）有する。読み取りスピードを、限られた数のセッティングのうちの１つにセットすることによって、前記実際の回転スピードと読み取りモードにおけるスピードとの間の回転スピード差が、制限される。制限された差のために、消費電力が制限される一方、現実のディスクのアクセス時間及びプレイアビリティの性能は高いレベルにある。
2005534127.tif 000002
【特許請求の範囲】
【請求項１】
ディスク形の記録担体に情報を記録する装置であって、
前記記録担体が、情報を記録するためのトラックを有し、
前記装置が、前記トラックを走査するためのヘッドと、前記ヘッドを介して前記トラックから情報を取り出すための読み取りユニットと、前記ヘッドを介して前記トラックに情報を記録するための書き込みユニットと、前記装置を読み取りモード又は書き込みモードに切り替えるためのモード制御ユニットと、前記記録担体の回転スピードをセットするための回転スピード制御ユニットと、を有する、装置であって、
前記回転スピード制御ユニットが、前記書き込みモードから前記読み取りモードへの切り替えの際、前記書き込みモード中の前記記録担体の実際の回転スピードに依存して、前記読み取りモード用の少なくとも２つのスピードセッティングのうち１つを選択するためのスピード選択器を有し、前記実際の回転スピードと前記読み取りモードにおけるスピードとの間の回転スピード差が、前記選択によって制限されることを特徴とする装置。
【請求項２】
前記スピード制御ユニットが、線速度一定プロファイルに従って、記録中の前記記録担体のスピードを制御するように構成される、請求項１に記載の装置。
【請求項３】
前記スピード制御ユニットが、角速度一定プロファイルに従って、読み取り中の前記記録担体のスピードを制御するように構成される、請求項１に記載の装置。
【請求項４】
前記スピード選択器は、前記書き込みモードにおける最低回転スピードより実質的に高い、前記読み取りモード用の回転スピードの最低スピードセッティングを含み、及び／又は前記書き込みモードにおける最高回転スピードより実質的に低い、読み取り用の回転スピードの最高スピードセッティングを含む、請求項１に記載の装置。
【請求項５】
少なくとも複数のスピードセッティングが、少なくとも１つの予め規定された回転周波数間隔をもつ予め規定された回転周波数にある、請求項３に記載の装置。
【請求項６】
前記スピード制御ユニットは、記録用の書き込み回転スピードレンジに対応するように構成され、前記レンジにおいて、最高スピードは、最低スピードの実質的に２．５倍であり、前記スピード選択器は、前記読み取りモード用の４つのスピードセッティングのうちの１つを選択するように構成される、請求項１に記載の装置。
【請求項７】
前記装置は、記録されるべき情報を記憶するための書き込みバッファを有し、前記モード制御ユニットは、前記書き込みバッファの充填の程度に依存して、前記モードを切り替えるように構成される、請求項１に記載の装置。
【請求項８】
前記装置は、ビデオデータを受け取るとともに、記録されるべき情報として前記書き込みバッファを介して符号化されたビデオを供給するビデオ符号化ユニットを有する、請求項７に記載の装置。
【請求項９】
前記モード制御ユニットは、前記書き込みモード及び前記読み取りモードを交互させることによって、前記書き込みバッファを介してリアルタイム情報の第１の連続するストリームを記録すると同時に、リアルタイム情報の第２のストリームを取り出すように構成される、請求項７に記載の装置。
【請求項１０】
ディスク形の記録担体の回転のスピードを制御する方法であって、
前記記録担体が、情報を記録するためのトラックを有し、
前記方法が、ヘッドを介して前記トラックを走査するステップと、前記ヘッドを介して前記トラックから情報を取り出すステップと、前記ヘッドを介して前記トラックに情報を記録するステップと、前記装置を読み取りモード又は書き込みモードに切り替えるステップと、前記記録担体の前記回転スピードをセットするステップと、を含む方法であって、
前記方法が、前記書き込みモードから前記読み取りモードへの切り替えの際、前記書き込みモード中の前記記録担体の実際の回転スピードに依存して、前記読み取りモード用の少なくとも２つのスピードセッティングのうち１つを選択するステップを含み、前記実際の回転スピードと前記読み取りモードにおけるスピードとの間の回転スピード差が、前記選択によって制限されることを特徴とする方法。
【発明の詳細な説明】
【技術分野】
【０００１】
本発明は、ディスク形の記録担体に情報を記録する装置であって、前記記録担体が、情報を記録するためのトラックを有し、前記装置が、トラックを走査するためのヘッドと、ヘッドを介してトラックから情報を取り出すための読み取りユニットと、ヘッドを介してトラックに情報を記録するための書き込みユニットと、前記装置を読み取りモード又は書き込みモードに切り替えるためのモード制御ユニットと、記録担体の回転スピードをセットするための回転スピード制御ユニットと、を有する装置に関する。
【０００２】
本発明は、更に、ディスク形の記録担体の回転スピードを制御する方法であって、前記記録担体が、情報を記録するためのトラックを有し、前記方法が、ヘッドを介してトラックを走査するステップと、ヘッドを介してトラックから情報を取り出すステップと、ヘッドを介してトラックに情報を記録するステップと、前記装置を読み取りモード又は書き込みモードに切り替えるステップと、記録担体の回転スピードをセットするステップと、を含む方法に関する。
【背景技術】
【０００３】
情報を記録するための装置は、特開平１１−３０６６６２号公報から知られている。装置は、ヘッドと、光ディスクのような記録担体のトラックに情報を記録するための書き込みユニットと、情報を読み取るための読み取りユニットとを有する。装置は更に、当該装置を読み取り又は書き込みモードに切り替えるためのモード制御ユニットと、記録担体の回転スピードを制御するためのスピード制御ユニットと、を有する。書き込みモードの間、記録担体の回転スピードは、線速度一定（ＣＬＶ）プロファイルに従って、制御される。すなわち、トラック対ヘッドの線形スピードは一定であり、それゆえ、ディスクの回転スピードは、ヘッドの半径位置に反比例して変化する。このようなＣＬＶスピードプロファイルは、ＣＤ−Ｒ、ＤＶＤ＋ＲＷ又はＤＶＤ−ＲＷのように光ディスクにとって一般的である。書き込み期間の後、モードは、読み取りモードに切り替えられる。通常読み取られるべき情報は、さまざまな異なる半径位置にあり、読み取りモードのためにもＣＬＶプロファイルを適用することは、ヘッドの新しい半径位置に従う回転スピードの変化を必要とする。装置において、スピード制御ユニットは、切り替えの直前に、書き込みモード中の実際のスピードに等しい固定値に回転スピードをセットする。それゆえ、読み取りモードにおける回転スピードは、書き込みモードにおける実際のスピードと同じである。読み取りモードの回転スピードは変更されず、従って、トラックからの情報のデータレートは、半径位置によって変化する。このようなスピード制御は、通常、角速度一定（ＣＡＶ）と呼ばれる。書き込みモードから読み取りモードへの切り替えの際に同じ回転スピードを保つ効果は、データへのアクセスの際にスピードの変化による遅延が生じないことである。しかしながら、ＣＡＶスピードプロファイルは、高性能のレンダリング装置において使用するにはあまり適していない。特に、書き込みモードからの切り替えの際、読み取りプロセスは、同じスピードを保つことにより生じる大きなレンジの線形スピードの理由で、信頼できないことがある。
【発明の開示】
【発明が解決しようとする課題】
【０００４】
従って、本発明の目的は、高性能のレンダリング装置において使用するのにより適した、より信頼性の高い、回転スピードを制御する装置及び方法を提供することである。
【課題を解決するための手段】
【０００５】
本発明の第１の見地によれば、上述の目的は、冒頭の段落に記載した装置であって、回転スピード制御ユニットが、書き込みモードから読み取りモードへの切り替えの際、書き込みモード中の記録担体の実際の回転スピードに依存して、読み取りモード用の少なくとも２つのスピードセッティングのうちの１つを選択するためのスピード選択器を有し、前記実際の回転スピードと読み取りモードのスピードとの間の回転スピードの差が、前記選択によって制限されることを特徴とする装置によって達成される。本発明の第２の見地によれば、上述の目的は、冒頭の段落に記載した方法であって、前記方法が、書き込みモードからの読み取りモードへの切り替えの際に、書き込みモード中の記録担体の実際の回転スピードに依存して、読み取りモード用の少なくとも２つのスピードセッティングのうち１つを選択することを含み、前記実際の回転スピードと読み取りモードにおけるスピードとの間の回転スピードの差が、前記選択によって制限されることを特徴とする方法によって達成される。回転スピードについて限られた数のセッティングを提供する効果は、装置が、読み取り時に、スピードの制限されたレンジで最適な性能をもつように設計され、テストされることができることである。
【０００６】
本発明は、更に、以下の認識に基づく。知られているシステムは、モードを切り替える際のアクセス時間の遅延を避けるための解決策を提供する。しかしながら、読み取り中のスピードのレンジは、例えばＣＤ又はＤＶＤシステムの場合に約２．５倍のレンジである記録中の最大及び最小回転スピードの間の差と同じ大きさでありうる。本願発明者は、スピードのこのような大きいレンジが、特にモードを交互に切り替えることによってバッファを介してデータストリームの記録及び取り出しを同時に行う間、データの記録及び読み取りプロセスのすべてのスピードにおける全体的な性能のために複雑なシステム設計を必要とするということに気付いた。記録中の最小スピードと最大スピードとの間にある、回転スピードの限られた数のセッティングを用いることによって、システム設計の複雑さは、大幅に軽減される。特に、いくつかのエラーソースがある場合、通常プレイアビリティテストと呼ばれるディスク走査システム全体のテストは、限られた数のスピードのために、減らされることができる。更に、ディスクの回転スピードを変えるために駆動モータによって要求されるエネルギーは、前記の変化の二乗により増加することが留意された。しかしながら、前記限られた数のセッティングを提供することによって、回転スピードの差は、制限される。それゆえ、スピード差を制限することによって、スピードを変えるために装置において消費されるエネルギーは、上述した従来技術の装置よりわずかに高くなるにすぎない。更に、限られた数のセッティングだけが、例えばモータ制御ループの利得のような、読み出しスピードに依存するパラメータのために必要とされるので、制御ユニットはさほど複雑でない。
【０００７】
装置の一実施形態において、スピード制御ユニットは、線速度一定（ＣＬＶ）プロファイルに従って、記録中の記録担体のスピードを制御するように構成される。これは、ヘッド対トラックの線形スピードが、記録プロセスの間は一定であるという利点をもたらす。記録プロセスは、通常、ほこりのような悪い環境に対する耐性及び設計パラメータに関して一層クリティカルである。一定のスピードのため、記録プロセスは、このスピードについて最適化されることができる。
【０００８】
装置の一実施形態において、スピード制御ユニットは、角速度一定（ＣＡＶ）プロファイルに従って、読み取り中の記録担体のスピードを制御するように構成される。これは、読み取りモードへの切り替えの際、読み取り中の回転スピードが、固定値に容易にセットされることができるという利点をもつ。
【０００９】
装置の一実施形態において、スピード選択器は、書き込みモードの最低回転スピードより実質的に高い、読み取り用の回転スピードの最低スピードセッティングを含む。これは、読み取り中の回転スピードが、最低セッティングのスピードより決して低くならず、記録中の最低回転レートより高いという利点をもつ。従って、システム及びバッファ設計に含められなければならない最小読み取りスピードは、最低記録スピードより高い。
【００１０】
装置の一実施形態において、スピード選択器は、書き込みモードにおける最高回転スピードより実質的に低い、読み取り用の回転スピードの最高スピードセッティングを含む。これは、読み取り中の回転スピードが、記録中の回転スピードのレンジより小さいレンジ内にあるという利点をもつ。このような回転スピードでの読み取りは、いかなる半径位置でも行われることができる。それゆえ、読み取り中のヘッド対トラックの線形読み取り速度が制限される。
【００１１】
本発明による装置及びサーバエンティティの他の好ましい実施形態は、他の請求項に与えられている。
【００１２】
本発明のこれら及び他の見地は、以下の説明に例示として記載される実施例及び添付の図面を参照して明らかになり、説明されるであろう。
【発明を実施するための最良の形態】
【００１３】
図において、すでに記載されている構成要素に対応する構成要素は、同じ参照数字を有する。
【００１４】
図１ａは、トラック９及び中央孔１０を有するディスク形の記録担体１１を示す。情報を表す一連の記録された（記録されるべき）マークの位置であるトラック９は、情報層上に実質的に平行なトラックを構成する渦巻きパターンに従って配置される。記録担体は、光ディスクを呼ばれる光学的に読み取り可能なものであってもよく、記録可能なタイプの情報層を有する。記録可能なディスクの例は、ＣＤ−Ｒ、ＣＤ−ＲＷ、ＤＶＤ＋ＲＷのようなＤＶＤの書き込み可能なバージョン、及びブルーレイディスク（ＢＤ）と呼ばれる青色レーザーを使用した高密度の書き込み可能な光ディスクである。ＤＶＤディスクについての更なる詳細は、ECMA-267:120 mm DVD - Read-Only Disc - (1997)を参照することによって得ることができる。情報は、例えば相変化材料の結晶質又は非晶質のマークのような光学的に検出可能なマークをトラックに沿って記録することによって、情報層に表現される。記録可能なタイプの記録担体上のトラック９は、ブランク（空の）記録担体の製造中に設けられるプリエンボス加工されたトラック構造によって示される。トラック構造は、例えば走査中に読み取り／書き込みヘッドがトラックに追従することを可能にするプリグルーブ１４によって、構成される。トラック構造は、通常は情報ブロックと呼ばれる情報ユニットの位置を示すための位置情報、例えばアドレスを含む。位置情報は、このような情報ブロックの開始の位置を示すための特定の同期マークを含む。位置情報は、後述するように変調されたウォブルのフレームに符号化される。
【００１５】
図１ｂは、記録可能なタイプの記録担体１１の、ラインｂ−ｂに沿って切り取られた断面図である。図１ｂにおいて、透明基板１５は、記録層１６及び保護層１７を備える。保護層１７は、例えばＤＶＤのように他の基板層を有することができる。ＤＶＤの場合、記録層は、０．６ｍｍの基板であり、０．６ｍｍの他の基板が、その後ろ側に接合される。プリグルーブ１４は、基板１５の材料の凹部又は凸部として、又はその周囲のものから逸した材料特性として、実現されることができる。
【００１６】
記録担体１１は、ＭＰＥＧ２のような標準化されたフォーマットに従ってデジタル符号化されたビデオを表す情報を担持することを目的とすることができる。
【００１７】
図２は、例えばＣＤ−Ｒ、ＣＤ−ＲＷ、ＤＶＤ＋ＲＷ又はＢＤのような書き込み可能な又は書き換え可能なタイプの記録担体１１に情報を書き込むための記録装置を示す。装置は、記録担体上のトラックを走査するための記録手段を備え、この記録手段は、記録担体１１を回転するための駆動ユニット２１と、ヘッド２２と、トラック上で半径方向にヘッド２２を粗く位置決めするための位置決めユニット２５と、制御ユニット２０と、を有する。ヘッド２２は、光学素子を通して案内されるとともに、記録担体の情報層のトラック上の放射スポット２３に焦点を合わせられる放射ビーム２４を生成するための、知られているタイプの光学システムを有する。放射ビーム２４は、放射線源、例えばレーザダイオードによって生成される。ヘッドは更に、前記ビームの光軸に沿って放射ビーム２４のフォーカスを動かすためのフォーカシングアクチュエータと、トラックの中心で半径方向においてスポット２３を精密に位置決めするためのトラッキングアクチュエータと、を有する（図示せず）。トラッキングアクチュエータは、光学素子を半径方向に移動させるためのコイルを有することができ、又は代替例として、反射素子の角度を変更するように構成されてもよい。情報を書き込むために、放射は、記録層に光学的に検出可能なマークを生成するように制御される。読み取りのために、情報層によって反射される放射は、読み取り信号及び他の検出器信号を生成するために、ヘッド２２において例えば４象限ダイオードのような通常のタイプの検出器によって検出される。他の検出器信号は、前記トラッキング及びフォーカシングアクチュエータのためのトラッキングエラー及びフォーカシングエラー信号を含む。読み取り信号は、情報を取り出すために、復調器、デフォーマッタ（deformmater）及び出力部を有する通常のタイプの読み取り処理ユニット３０によって処理される。それゆえ、情報を読み取るための取り出し手段は、駆動ユニット２１、ヘッド２２、位置決めユニット２５及び読み取り処理ユニット３０を有する。装置は、ヘッド２２を駆動するための書き込み信号を生成するために入力信号を処理する書き込み処理手段を有し、この手段は、入力ユニット２７と、フォーマッタ２８及び変調器２９を有する変調器手段とを備える。制御ユニット２０は、情報の記録及び取り出しを制御し、ユーザから又はホストコンピュータからコマンドを受け取るように構成されることができる。制御ユニット２０は、例えばシステムバスのような制御ライン２６を介して、前記入力ユニット２７、フォーマッタ２８及び変調器２９並びに読み取り処理ユニット３０に接続され、更に、駆動ユニット２１及び位置決めユニット２５に接続される。制御ユニット２０は、後述するように本発明によるプロシージャ及び機能を実施するための制御回路、例えばマイクロプロセッサ、プログラムメモリ及び制御ゲートを有する。制御ユニット２０は、更に、論理回路のステートマシンとして実現されてもよい。入力ユニット２７は、ユーザのリアルタイム情報を受け取り、オーディオ及び／又はビデオを処理して情報のブロックにする。情報のブロックは、フォーマッタ２８に渡され、フォーマッタ２８は、例えばエラー訂正コード（Ｅ���Ｃ）の付加及び／又はインタリーブによって、（後述するように）記録フォーマットに従って制御データを付加するとともにデータをフォーマットする。コンピュータアプリケーションのために、情報のユニットは、フォーマッタ２８に直接インタフェースされることができる。フォーマッタ２８の出力部からのフォーマットされたデータは、変調ユニット２９に渡される。変調ユニット２９は、例えばチャネルコーダを有し、ヘッド２２を駆動する変調された信号を生成する。更に、変調ユニット２９は、変調された信号に同期パターンを含めるための同期手段を有する。変調ユニット２９の入力部に示されるフォーマットされたユニットは、アドレス情報を有し、制御ユニット２０の制御下において記録担体上の対応するアドレス可能な位置に書き込まれる。制御ユニット２０は、記録される情報ボリュームの位置を示す位置データを記録し、取り出すように構成される。書き込み動作中、情報を表すマークが、記録担体上に形成される。マークは、いかなる光学的に読み取り可能な形であってもよく、例えば、染料、合金又は位相変化材料のような材料に記録する場合に得られるそれらの周囲と異なる反射係数をもつ領域の形、又は光磁気材料に記録する場合に得られるそれらの周囲と異なる磁化の方向をもつ領域の形であってもよい。光ディスクに記録するための情報の書き込み及び読み取り、有用なフォーマッティング、エラー訂正及びチャネルコーディング規則は、従来技術において、例えばＣＤシステムから良く知られている。マークは、通常はレーザダイオードから、電磁放射のビーム２４を介して記録層に生成されるスポット２３によって形成されることができる。一実施例において、入力ユニット２７は、例えばアナログのオーディオ及び／又はビデオ、又はデジタルの非圧縮のオーディオ／ビデオのような入力信号のための圧縮手段を有する。適切な圧縮手段は、ＭＰＥＧ規格においてビデオに関して記載されており、ＭＰＥＧ−１は、ＩＳＯ／ＩＥＣ  １１１７２に規定され、ＭＰＥＧ−２は、ＩＳＯ／ＩＥＣ  １３８１８に規定されている。代替例として、入力信号は、このような規格に従って既に符号化されていてもよい。
【００１８】
装置は、システムバス２６を介して制御ユニット２０に結合されるモード切り替えユニット３１を有する。モード切り替えユニットは、複数のデータストリームを適応させるために自動的に又はユーザーコマンドに依存して、装置を読み取りモード又は書き込みモードに切り替える。制御ユニット２０は、記録担体の回転スピードをセットするための回転スピード制御ユニット３７を有する。一実施例において、記録中の回転スピードは、線速度一定（ＣＬＶ）プロファイルに従って制御され、このプロファイルでは、トラック対ヘッドのスピードが一定の線形スピードに維持される。回転スピードは、図３に示すように半径位置に反比例して増加する。一実施例において、読み取り中の回転スピードは、角速度一定（ＣＡＶ）プロファイルに従って制御され、このプロファイルでは、回転スピードは、一定の値に保たれ、データスピードは、ヘッド２２の半径位置に比例して増加する。
【００１９】
回転スピード制御ユニット３７は、書き込みモード中の記録担体の実際の回転スピードに依存して、読み取りモードのために少なくとも２つのスピードセッティングのうち１つを選択するスピード選択器３８を有する。実際のスピードは、モード切り替えユニット３１の制御下において書き込みモードから読み取りモードへ切り替わる際に決定される。選択器は、前記実際の回転スピードと読み取りモードにおける回転スピードとの間の回転スピード差がこの選択によって制限されるように、回転スピードを選択するように制御される。記録担体の回転数をあげるには、スピードの差の増加に比例して増加するよりもっと大きいモータパワーを必要とすることに注意されたい。制限された数のセッティングポイントを使用することによって、スピードの差が、制限される。セットポイントの選択について、図３を参照して以下に説明する。
【００２０】
図３は、スピードセッティングポイントを示している。水平軸に沿って、ディスク半径位置４０が示されている。垂直軸に沿って、回転スピード４１が示されている。ＣＬＶ４３の第１のカーブは、記録プロセス中の回転スピードを示す。実際的な例として、記録のスピードは、ＤＶＤシステムの２．４倍速の公称速度である。読み取りのため、２５Ｈｚの回転スピードにおける第１のセッティングポイント４４が、水平なラインとして示される。第２のセットポイント４５は、３０Ｈｚのところにあり、第３のセッティングポイント４６は、４０Ｈｚのところにあり、第５のセッティングポイント４７は、５０Ｈｚのところにある。第５のセッティング４７の例では、読み取り時の線形スピードが、ＤＶＤシステムの２．１倍速と５．５倍速との公称読み取りスピードの間で変化する。読み取りスピードのセッティングは、次のように行われる。モード切り替えユニット３１により、記録プロセスは、書き込み位置４８において割り込まれることができる。記録担体の回転スピードは、約３３Ｈｚである。読み取りのため、最も近いセッティングポイント４５が選択され、モータは、３０Ｈｚのセットポイントに従って制御される。ヘッドが新たな半径読み取り位置４９に達した直後に、読み取りが開始することが可能である。この位置へのジャンプには若干の時間がかかるが、モータスピードは既に適応化されうる。一実施例において、スピードが完全に適応化される前に、読み取りが、新たな半径読み取り位置４９から始まる。読み取り中にエラーが発生する場合、モータスピードが、その位置へ再びジャンプすることによって調整されるとすぐに、制御ユニット２０は、同じ場所で再試行を実施することができる。読み取りスピードがその目標値にまだ達していないので、誤った位置を読み取ろうとする複数回の再試行が増えることがある。
【００２１】
一実施例において、スピード選択器３８は、書き込みモードにおける最低回転スピードより実質的に高い、回転スピードの最低スピードセッティングをもつ。図３に示すように、記録プロファイル４３の最低スピードは、２２Ｈｚである。最低回転レートセッティングポイントは２５Ｈｚであり、これは、読み取り時の最小スピードを、２２Ｈｚのセッティングと比較して約１５％増加させる。一実施例において、スピード選択器３８は、５０Ｈｚの最高スピードセッティングをもち、他方、２．４倍速公称ＤＶＤスピードでのＣＬＶプロファイルに従う記録中の最大回転スピードは、５５Ｈｚである。読み取り中の最高回転スピードは、記録中の最大回転スピードより１０％低い。従って、読み取りのための最大線形スピードは、約５．５倍速ＤＶＤスピードに制限される。最大記録スピードと同じスピードを使用することは、６倍速を超える最大線形読み取りスピードをもたらす。
【００２２】
一実施例において、少なくとも複数のスピードセッティングが、予め規定された回転周波数間隔をもつ回転スピードのところにある。間隔は、複数のセッティングについて同じであってもよい。図３に示すように、１０Ｈｚおきにセッティングポイント４５、４６、４７がある。間隔を同じ値に保つことは、半分の間隔、例えば５Ｈｚの最高速度差をもたらす。しかしながら、間隔は、他の設計基準によって選択されてもよい。例えば間隔は、セッティングの各々までスピードをあげるために実質的に等しい応答時間を生成するように、回転スピードが高いほど、小さくなりうる。一実施例において、スピード制御ユニット３７は、記録のための書き込み回転スピードレンジに対応するように図３に示すように構成され、このレンジでは、最高スピードは、最低スピードのほぼ２．５倍であり、スピード選択器は、読み取りモードのために４つのスピードセッティングのうちの１つを選択するように構成される。
【００２３】
一実施例において、装置は、記録されるべき情報を記憶するための書き込みバッファ３５を有し、モード制御ユニット３１は、書き込みバッファ３５の充填の程度に依存して、モードを切り替えるように構成される。モード制御ユニット３１は、書き込みモード及び読み取りモードを交互させることによって、書き込みバッファを介してリアルタイム情報の入力ストリームを記録すると同時に、リアルタイム情報を取り出すように構成される。書き込みは、書き込みバッファが実質的に空になるまで続く。モード制御ユニット３１は、充填の程度を検出し、読み取りモードに切り替わる。通常、読み取りバッファ３２も利用可能である。読み取りプロセスは、書き込みバッファが実質的に満杯になるまで、又は代替例として、読み取りバッファが実質的に満杯になるまで、続く。バッファサイズは、記録されるべきデータストリームと、それと同時に取り出されるべきデータストリームと間の切り替えがあまり頻繁に生じないように、選択される。これは、摩耗及び聞こえるノイズをもたらすからである。切り替えサイクルの実際的な値は、３乃至１０秒であり、例えば書き込みの５秒、ジャンプの０．５秒、読み取りの４秒及び再びジャンプする０．５秒である。約５Ｍビット／秒のデータストリームのデータレートで、書き込みバッファ３５は、約４メガバイトである必要がある。
【００２４】
図４は、交互の書き込み及び読み取りによる同時の記録及び取り出しを示す。上段の線図５０は、時間軸に沿って、Ｗｎによりデータの書き込みを示し、ここで、インデックスｎは、時間的な順番を示す。軸の第１のセグメントでは、書き込み動作は、Ｗによって示されるように行われる。中間のセグメントにおいて、交互する書き込み及び読み取り動作Ｗ１乃至Ｗ５及びＲ１乃至Ｒ５が示されている。中段の線図５１は、２つの半径位置での書き込み及び読み取り動作の第１の例を概略的に示しており、読み取り位置５３は、より内方であり、書き込み位置５４は、より外方である。下段の線図５２は、２つの半径位置での書き込み及び読み取り動作の第２の例を概略的に示し、書き込み位置５５は、より内方であり、読み取り位置５６は、より外方である。
【００２５】
図５は、交互に書き込み及び読み取りする間の回転スピードを示している。水平軸６１に沿って時間が示され、垂直軸６２に沿ってディスクの回転スピードが示されている。書き込み動作Ｗ１、Ｗ２及びＷ３は、連続する半径位置で行われるものとする。従って、ＣＬＶプロファイルに従って低下する書き込み回転レート６３をもつように示されている。第１の読み取り動作Ｒ１は、僅かに高いほうの第１の回転スピード選択６４において、より内方の位置で行われ、第２及び第３の読み取り動作Ｒ２及びＲ３は、僅かに低いほうの第２の回転スピード選択６５において行われる。回転スピード選択６４、６５は、書き込み中の実際の回転レート６３に基づいて選択される。従って、書き込み中の回転レートと読み取り中の回転レートと間の差が制限される。常に、最も近い読み取りスピードが選択される場合、最大の差は、回転レートセッティング６４、６５間の間隔の半分である。
【００２６】
本発明は、主にビデオを記憶するための光ディスクを使用する実施例によって説明されているが、本発明は、例えば磁気ディスクのような他のディスクタイプの記録担体、又は情報の読み取り及び書き込みのために異なるスピードを使用する任意のタイプの情報用の任意のレンダリング装置にも適している。本明細書において、「有する、含む」なる語は、列挙したもの以外の他の構成要素又はステップの存在を除外せず、単数で表されている構成要素は、このような構成要素の複数の存在を除外せず、いかなる参照符号も特許請求の範囲を制限せず、本発明は、ハードウェア及びソフトウェアの両方によって実現化されることができ、いくつかの「手段」又は「ユニット」は、ハードウェア又はソフトウェアの同じアイテムによって表現されることができることに留意されたい。更に、本発明の範囲は、実施例に制限されず、本発明は、上述したそれぞれのあらゆる特徴又は特徴の組み合わせにある。
【図面の簡単な説明】
【００２７】
【図１ａ】記録担体を示す平面図。
【図１ｂ】記録担体を示す断面図。
【図２】記録装置を示す図。
【図３】スピードセッティングポイントを示す図。
【図４】交互に書き込み及び読み取りを行うことによる同時の記録及び取り出しを示す図。
【図５】交互に書き込み及び読み取りする間の回転スピードを示す図。
2005534127.tif 000003
【図２】
2005534127.tif 000004
【図３】
2005534127.tif 000005
【図４】
2005534127.tif 000006
【図５】
2005534127.tif 000007